(57)【要約】【課題】  放送局内等で映像音声のＩＰ伝送を行うシステムにおいてアナログ映像の同期信号を伝送可能なネットワークシステムを提供する。【解決手段】  ネットワークシステムは、映像音声のＩＰ伝送を行うシステムにおいて、アナログ映像の同期信号をディジタル同期信号に変換する手段（Ａ／Ｄ変換部１３）と、その変換したディジタル同期信号をＩＰパケットに変換してＩＰ網（１００）に出力する手段（ＩＰ変換部１７）とを備えた同期信号送出装置（１）を有する。【選択図】      図１
2010103652.tif 000002
【特許請求の範囲】
【請求項１】
映像音声のＩＰ（Ｉｎｔｅｒｎｅｔ  Ｐｒｏｔｏｃｏｌ）伝送を行うシステムにおいて、アナログ映像の同期信号をディジタル同期信号に変換する手段と、その変換したディジタル同期信号をＩＰパケットに変換してＩＰ網に出力する手段とを備えた同期信号送出装置を有することを特徴とするネットワークシステム。
【請求項２】
前記ＩＰ網上の信号からディジタル同期信号を抽出する手段と、その抽出したディジタル同期信号から前記同期信号送出装置側に同期したアナログ映像同期信号を生成して出力する手段とを備えた同期信号受信装置を含むことを特徴とする請求項１記載のネットワークシステム。
【請求項３】
前記同期信号送出装置は、前記アナログ映像の同期信号を分配する分配手段と、その出力信号から同期クロックを出力する同期再生手段と、その同期クロックで前記分配手段からのアナログ信号をディジタル信号に変換する変換手段と、そのディジタル信号から垂直／水平同期信号カウンタ値を出力する手段と、前記同期クロックからクロックカウンタ値を出力する手段と、前記垂直／水平同期信号カウンタ値及び前記クロックカウンタ値から１フィールド時間毎にディジタル同期信号として出力する手段と、前記ディジタル同期信号をＩＰ変換する手段とを含むことを特徴とする請求項１または請求項２記載のネットワークシステム。
【請求項４】
前記同期信号受信装置は、ＩＰ化された同期信号を抽出する手段と、その抽出したＩＰパケットからディジタル同期信号を抽出する手段と、前記ＩＰ網で発生する伝送揺らぎを吸収して平滑化して出力する手段と、その平滑化されて出力された信号から前記同期クロックを再生する手段と、その平滑化されて出力された信号から垂直／水平同期信号を再生する手段と、前記同期クロックと前記垂直／水平同期信号からディジタル映像の同期信号を生成する手段と、そのディジタル映像の同期信号をアナログ変換して前記アナログ映像の同期信号を出力する手段とを含むことを特徴とする請求項３記載のネットワークシステム。
【請求項５】
映像音声のＩＰ（Ｉｎｔｅｒｎｅｔ  Ｐｒｏｔｏｃｏｌ）伝送を行うシステムにおいて、ＩＰ網上の信号からディジタル同期信号を抽出する手段と、その抽出したディジタル同期信号からその同期信号の送出側に同期したアナログ映像同期信号を生成して出力する手段とを備えた同期信号受信装置を有することを特徴とするネットワークシステム。
【請求項６】
前記同期信号受信装置は、ＩＰ化された同期信号を抽出する手段と、その抽出したＩＰパケットからディジタル同期信号を抽出する手段と、前記ＩＰ網で発生する伝送揺らぎを吸収して平滑化して出力する手段と、その平滑化されて出力された信号から前記同期クロックを再生する手段と、その平滑化されて出力された信号から垂直／水平同期信号を再生する手段と、前記同期クロックと前記垂直／水平同期信号からディジタル映像の同期信号を生成する手段と、そのディジタル映像の同期信号をアナログ変換して前記アナログ映像の同期信号を出力する手段とを含むことを特徴とする請求項５記載のネットワークシステム。
【請求項７】
映像音声のＩＰ（Ｉｎｔｅｒｎｅｔ  Ｐｒｏｔｏｃｏｌ）伝送を行うシステムにおいて、アナログ映像の同期信号をディジタル同期信号に変換する手段と、その変換したディジタル同期信号をＩＰパケットに変換してＩＰ網に出力する手段とを有することを特徴とする同期信号送出装置。
【請求項８】
前記アナログ映像の同期信号を分配する分配手段と、その出力信号から同期クロックを出力する同期再生手段と、その同期クロックで前記分配手段からのアナログ信号をディジタル信号に変換する変換手段と、そのディジタル信号から垂直／水平同期信号カウンタ値を出力する手段と、前記同期クロックからクロックカウンタ値を出力する手段と、前記垂直／水平同期信号カウンタ値及び前記クロックカウンタ値から１フィールド時間毎にディジタル同期信号として出力する手段と、前記ディジタル同期信号をＩＰ変換する手段とを含むことを特徴とする請求項７記載の同期信号送出装置。
【請求項９】
映像音声のＩＰ（Ｉｎｔｅｒｎｅｔ  Ｐｒｏｔｏｃｏｌ）伝送を行うシステムにおいて、ＩＰ網上の信号からディジタル同期信号を抽出する手段と、その抽出したディジタル同期信号からその同期信号の送出側に同期したアナログ映像同期信号を生成して出力する手段とを有することを特徴とする同期信号受信装置。
【請求項１０】
ＩＰ化された同期信号を抽出する手段と、その抽出したＩＰパケットからディジタル同期信号を抽出する手段と、前記ＩＰ網で発生する伝送揺らぎを吸収して平滑化して出力する手段と、その平滑化されて出力された信号から前記同期クロックを再生する手段と、その平滑化されて出力された信号から垂直／水平同期信号を再生する手段と、前記同期クロックと前記垂直／水平同期信号からディジタル映像の同期信号を生成する手段と、そのディジタル映像の同期信号をアナログ変換して前記アナログ映像の同期信号を出力する手段とを含むことを特徴とする請求項９記載の同期信号受信装置。
【請求項１１】
映像音声のＩＰ（Ｉｎｔｅｒｎｅｔ  Ｐｒｏｔｏｃｏｌ）伝送を行うネットワークシステムに用いるアナログ映像同期信号伝送方法であって、
同期信号送出装置が、アナログ映像の同期信号をディジタル同期信号に変換する処理と、その変換したディジタル同期信号をＩＰパケットに変換してＩＰ網に出力する処理とを実行することを特徴とするアナログ映像同期信号伝送方法。
【請求項１２】
同期信号受信装置が、前記ＩＰ網上の信号からディジタル同期信号を抽出する処理と、その抽出したディジタル同期信号から前記同期信号送出装置側に同期したアナログ映像同期信号を生成して出力する処理とを実行することを特徴とする請求項１１記載のアナログ映像同期信号伝送方法。
【請求項１３】
前記同期信号送出装置が、前記アナログ映像の同期信号を分配する分配処理と、その出力信号から同期クロックを出力する同期再生処理と、その同期クロックで前記分配処理からのアナログ信号をディジタル信号に変換する変換処理と、そのディジタル信号から垂直／水平同期信号カウンタ値を出力する処理と、前記同期クロックからクロックカウンタ値を出力する処理と、前記垂直／水平同期信号カウンタ値及び前記クロックカウンタ値から１フィールド時間毎にディジタル同期信号として出力する処理と、前記ディジタル同期信号をＩＰ変換する処理とを実行することを特徴とする請求項１１または請求項１２記載のアナログ映像同期信号伝送方法。
【請求項１４】
前記同期信号受信装置が、ＩＰ化された同期信号を抽出する処理と、その抽出したＩＰパケットからディジタル同期信号を抽出する処理と、前記ＩＰ網で発生する伝送揺らぎを吸収して平滑化して出力する処理と、その平滑化されて出力された信号から前記同期クロックを再生する処理と、その平滑化されて出力された信号から垂直／水平同期信号を再生する処理と、前記同期クロックと前記垂直／水平同期信号からディジタル映像の同期信号を生成する処理と、そのディジタル映像の同期信号をアナログ変換して前記アナログ映像の同期信号を出力する処理とを実行することを特徴とする請求項１３記載のアナログ映像同期信号伝送方法。
【請求項１５】
映像音声のＩＰ（Ｉｎｔｅｒｎｅｔ  Ｐｒｏｔｏｃｏｌ）伝送を行うネットワークシステムに用いるアナログ映像同期信号伝送方法であって、
同期信号受信装置が、ＩＰ網上の信号からディジタル同期信号を抽出する処理と、その抽出したディジタル同期信号からその同期信号の送出側に同期したアナログ映像同期信号を生成して出力する処理とを実行することを特徴とするアナログ映像同期信号伝送方法。
【請求項１６】
前記同期信号受信装置が、ＩＰ化された同期信号を抽出する処理と、その抽出したＩＰパケットからディジタル同期信号を抽出する処理と、前記ＩＰ網で発生する伝送揺らぎを吸収して平滑化して出力する処理と、その平滑化されて出力された信号から前記同期クロックを再生する処理と、その平滑化されて出力された信号から垂直／水平同期信号を再生する処理と、前記同期クロックと前記垂直／水平同期信号からディジタル映像の同期信号を生成する処理と、そのディジタル映像の同期信号をアナログ変換して前記アナログ映像の同期信号を出力する処理とを実行することを特徴とする請求項１５記載のアナログ映像同期信号伝送方法。
【発明の詳細な説明】
【技術分野】
【０００１】
本発明はネットワークシステム、同期信号送出装置、同期信号受信装置及びそれらに用いるアナログ映像同期信号伝送方法に関し、特に放送局内等のベースバンド映像信号のＩＰ（Ｉｎｔｅｒｎｅｔ  Ｐｒｏｔｏｃｏｌ）化に関する。
【背景技術】
【０００２】
放送局内等のベースバンド映像信号のＩＰ化は、近年検討され始めている（例えば、特許文献１参照）。しかしながら、その映像の同期信号については、あまり検討されていない状態である。
【０００３】
現状は、映像のＩＰ／ベースバンド変換装置内において、フレームシンクロナイズ機能を持たせ、送出側の映像信号を正確にデコードできない状況で運用するという方式、もしくは、映像のＩＰ／ベースバンド変換装置に、外部より送出側のベースバンドの同期信号をＩＰネットワーク以外から入力して、送出側の映像信号を正確にデコードする状況で運用するという方式をとっている。
【０００４】
尚、特許文献１には、映像入力部がアナログ信号をディジタル化してＴＣＰ（Ｔｒａｎｓｍｉｓｓｉｏｎ  Ｃｏｎｔｒｏｌ  Ｐｒｏｔｏｃｏｌ）／ＩＰネットワークへ送出することが開示されている。
【特許文献１】特開２００１−１８６３９９号公報
【発明の開示】
【発明が解決しようとする課題】
【０００５】
しかしながら、上記のネットワークシステムでは、今後の映像信号のＩＰ化を行っていく上で、信号の伝送路がＩＰネットワークのみで、なお且つ送出側の映像信号を正確にデコードする必要がある場合の対応方法を考慮する必要がある。
【０００６】
そこで、本発明の目的は上記の問題点を解消し、放送局内等で映像音声のＩＰ伝送を行うネットワークシステムにおいてアナログ映像の同期信号を伝送することができるネットワークシステム、同期信号送出装置、同期信号受信装置及びそれらに用いるアナログ映像同期信号伝送方法を提供することにある。
【課題を解決するための手段】
【０００７】
本発明によるネットワークシステムは、映像音声のＩＰ（Ｉｎｔｅｒｎｅｔ  Ｐｒｏｔｏｃｏｌ）伝送を行うシステムにおいて、アナログ映像の同期信号をディジタル同期信号に変換する手段と、その変換したディジタル同期信号をＩＰパケットに変換してＩＰ網に出力する手段とを備えた同期信号送出装置を有することを特徴とする。
【０００８】
本発明による他のネットワークシステムは、映像音声のＩＰ（Ｉｎｔｅｒｎｅｔ  Ｐｒｏｔｏｃｏｌ）伝送を行うシステムにおいて、ＩＰ網上の信号からディジタル同期信号を抽出する手段と、その抽出したディジタル同期信号からその同期信号の送出側に同期したアナログ映像同期信号を生成して出力する手段とを備えた同期信号受信装置を有することを特徴とする。
【０００９】
本発明による同期信号送出装置は、映像音声のＩＰ（Ｉｎｔｅｒｎｅｔ  Ｐｒｏｔｏｃｏｌ）伝送を行うシステムにおいて、アナログ映像の同期信号をディジタル同期信号に変換する手段と、その変換したディジタル同期信号をＩＰパケットに変換してＩＰ網に出力する手段とを備えている。
【００１０】
本発明による同期信号受信装置は、映像音声のＩＰ（Ｉｎｔｅｒｎｅｔ  Ｐｒｏｔｏｃｏｌ）伝送を行うシステムにおいて、ＩＰ網上の信号からディジタル同期信号を抽出する手段と、その抽出したディジタル同期信号からその同期信号の送出側に同期したアナログ映像同期信号を生成して出力する手段とを備えている。
【００１１】
本発明によるアナログ映像同期信号伝送方法は、映像音声のＩＰ伝送を行うネットワークシステムに用いるアナログ映像同期信号伝送方法であって、
同期信号送出装置が、アナログ映像の同期信号をディジタル同期信号に変換する処理と、その変換したディジタル同期信号をＩＰ（Ｉｎｔｅｒｎｅｔ  Ｐｒｏｔｏｃｏｌ）パケットに変換してＩＰ網に出力する処理とを実行することを特徴とする。
【００１２】
本発明による他のアナログ映像同期信号伝送方法は、映像音声のＩＰ（Ｉｎｔｅｒｎｅｔ  Ｐｒｏｔｏｃｏｌ）伝送を行うネットワークシステムに用いるアナログ映像同期信号伝送方法であって、
同期信号受信装置が、ＩＰ網上の信号からディジタル同期信号を抽出する処理と、その抽出したディジタル同期信号からその同期信号の送出側に同期したアナログ映像同期信号を生成して出力する処理とを実行することを特徴とする。
【発明の効果】
【００１３】
本発明は、上記のような構成及び動作とすることで、放送局内等で映像音声のＩＰ伝送を行うネットワークシステムにおいてアナログ映像の同期信号を伝送することができるという効果が得られる。
【発明を実施するための最良の形態】
【００１４】
次に、本発明の実施の形態について図面を参照して説明する。まず、本発明によるネットワークシステムの概略について説明する。本発明よるネットワークシステムは、放送局内等で映像音声のＩＰ（Ｉｎｔｅｒｎｅｔ  Ｐｒｏｔｏｃｏｌ）伝送を行うシステムであり、同期信号送出装置と同期信号受信装置とをＩＰ網（ネットワーク）を介して接続して構成されている。
【００１５】
図１は本発明による同期信号送出装置の構成例を示すブロック図である。図１において、同期信号送出装置１は、映像音声のＩＰ伝送を行うシステムにおいて、アナログ映像の同期信号をディジタル同期信号に変換するＡ／Ｄ（アナログ／ディジタル）変換部１３と、その変換したディジタル同期信号をＩＰパケットに変換してＩＰ網１００に出力するＩＰ変換部１７とを備えている。
【００１６】
図２は本発明による同期信号受信装置の構成例を示すブロック図である。図２において、同期信号受信装置２は、ＩＰ網１００上の信号からディジタル同期信号を抽出するＩＰ化同期信号抽出部２１と、その抽出したディジタル同期信号から同期信号送出装置１側に同期したアナログ映像同期信号を生成して出力する同期信号発生／出力遅延部２６とを備えている。
【００１７】
次に、本発明よるネットワークシステムの詳細について説明する。本発明による同期信号送出装置は、映像分配部と、同期クロック再生部と、Ａ／Ｄ変換部と、水平／垂直同期信号カウンタと、同期クロックカウンタと、ディジタル同期信号生成部と、ＩＰ変換部とから構成されている。
【００１８】
また、本発明による同期信号受信装置は、ＩＰ化同期信号抽出部と、ディジタル同期信号抽出部と、ＩＰ網揺らぎ平滑化部と、同期クロック再生部と、水平／垂直同期信号再生部と、同期信号発生部と、Ｄ／Ａ（ディジタル／アナログ）変換部とから構成されている。
【００１９】
映像分配部は、入力されるアナログ映像同期信号（通称ブラックバースト信号）を分配する。同期クロック再生部は、映像分配部からのアナログ映像同期信号のサブキャリア周波数にロックしたクロックを出力する。Ａ／Ｄ変換部は、同期クロック再生部からのクロックを基準に、映像分配部からのアナログ映像同期信号をＡ／Ｄ変換して出力する。
【００２０】
水平／垂直同期信号カウンタは、Ａ／Ｄ変換部からのディジタル信号から映像の水平同期タイミングと垂直同期タイミングとを検出し、水平／垂直先頭位置信号と垂直カウンタ値とを生成して出力する。同期クロックカウンタは、水平／垂直同期信号カウンタからの水平／垂直先頭位置信号を０基準とし、同期クロック再生部からのクロックでカウントアップする同期クロックカウンタ値を出力する。
【００２１】
ディジタル同期信号生成部は、水平／垂直同期信号カウンタからの垂直カウンタ値と同期クロックカウンタからの同期クロックカウンタ値とを合成し、１フィールドに１回の単位でディジタル同期信号データを生成する。ＩＰ変換部は、ディジタル同期信号生成部からのディジタル同期信号データをＩＰパケットに変換し、ＩＰ網へ出力する。
【００２２】
ＩＰ化同期信号抽出部は、ＩＰ網上のＩＰパケットの中からＩＰ変換部が出力したＩＰパケットを抽出して出力する。ディジタル同期信号抽出部は、ＩＰ化同期信号抽出部からのＩＰデータからディジタル同期信号データを抽出して出力する。ＩＰ網揺らぎ平滑化部は、ＩＰ変換部からＩＰ化同期信号抽出部までの間で発生するＩＰ網上の伝送揺らぎを吸収し、平滑化して出力する。
【００２３】
同期クロック再生部は、ＩＰ網揺らぎ平滑化部からのディジタル同期信号データから同期クロックカウンタ値を抽出し、自走する同期クロックカウンタ値との比較を行い、その差分を補正したクロックを出力する。水平／垂直同期信号再生部は、ＩＰ網揺らぎ平滑化部からのディジタル同期信号データから垂直カウンタ値を抽出し、水平／垂直同期信号を出力する。
【００２４】
同期信号発生部は、同期クロック再生部からのクロックと水平／垂直同期信号再生部からの水平／垂直同期信号とからディジタル／アナログ変換前のディジタル映像同期信号を生成し、外部からの設定値で出力遅延値を持たせて出力する。Ｄ／Ａ変換部は、同期信号発生部からの信号をディジタル／アナログ変換してアナログ映像同期信号として出力する。
【００２５】
これによって、本発明によるネットワークシステムでは、ＩＰ伝送を行うシステムにおいて、アナログ映像同期信号を伝送することが可能となる。
【００２６】
図３は本発明の実施の形態によるネットワークシステムの構成例を示すブロック図である。図３において、本発明の実施の形態によるネットワークシステムは、放送局内等で映像音声のＩＰ伝送を行うシステムであり、同期信号送出装置１と同期信号受信装置２とをＩＰ網（ネットワーク）１００を介して接続して構成されている。
【００２７】
送信側のアナログ映像同期信号は、同期信号送出装置１に接続され、その同期信号送出装置１の出力がＩＰ網１００に接続されている。また、そのＩＰ網１００に同期信号受信装置２が接続され、その同期信号受信装置２から出力されるアナログ映像同期信号が、映像のＩＰ／ベースバンド変換装置（図示せず）等に接続されている。
【００２８】
図４は図３の同期信号送出装置１の構成例を示すブロック図である。図４において、同期信号送出装置１は、映像分配部１１と、同期クロック再生部１２と、Ａ／Ｄ変換部１３と、水平／垂直同期信号カウンタ１４と、同期クロックカウンタ１５と、ディジタル同期信号生成部１６と、ＩＰ変換部１７とから構成されている。
【００２９】
映像分配部１１は、入力されるアナログの映像同期信号（ブラックバースト信号）を分配する。同期クロック再生部１２は、入力されるアナログ映像同期信号のサブキャリア周波数に同期した４逓倍のクロック（１４．３１８ＭＨｚ）を出力する。同期クロック再生部１２は、入力信号がない場合でも安定したクロックを出力できるように、内部に高精度（０．１ｐｐｍ程度）の自走クロックで動作する構成をとる。
【００３０】
Ａ／Ｄ変換部１３は、アナログ映像同期信号に同期したクロックを基準に、アナログ映像同期信号をＡ／Ｄ変換して出力する。水平／垂直同期信号カウンタ１４は、Ａ／Ｄ変換されたディジタル信号から映像の水平同期タイミングと垂直同期タイミングとを検出し、１フィールド目の１ライン目先頭位置を水平／垂直先頭位置信号として生成して出力する。
【００３１】
また、水平／垂直同期信号カウンタ１４は、各フィールドの１ライン目先頭位置を基準とし、フィールド毎に０〜５９までカウントアップして０に戻る垂直カウンタ値を出力する。水平／垂直同期信号カウンタ１４は、入力信号がない場合でも安定して出力できるように、水平／垂直同期信号検出部（図示せず）に同期保護を行う構成をとる。
【００３２】
同期クロックカウンタ１５は、水平／垂直先頭位置信号を０基準とし、同期クロック再生からのクロックでカウントアップする２４ｂｉｔバイナリカウンタで、そのカウンタ値を出力する。
【００３３】
ディジタル同期信号生成部１６は、垂直カウンタ値と同期クロックカウンタ値とを、１フィールドに１回の単位でディジタル同期信号データとして生成して出力する。
【００３４】
ＩＰ変換部１７は、同期信号データをＩＰ網１００へ送出できるように、ＩＰパケットに変換し、ＵＤＰ（Ｕｓｅｒ  Ｄａｔａｇｒａｍ  Ｐｒｏｔｏｃｏｌ）プロトコルで出力する。
【００３５】
図５は図３の同期信号受信装置２の構成例を示すブロック図である。図５において、同期信号受信装置２は、ＩＰ化同期信号抽出部２１と、ディジタル同期信号抽出部２２と、ＩＰ網揺らぎ平滑化部２３と、同期クロック再生部２４と、水平／垂直同期信号再生部２５と、同期信号発生／出力遅延部２６と、Ｄ／Ａ変換部２７とから構成されている。
【００３６】
ＩＰ化同期信号抽出部２１は、ＩＰ網１００上のデータから同期信号送出装置１が出力したＩＰパケットを抽出し、その抽出したＩＰパケットデータを出力する。ディジタル同期信号抽出部２２は、ＩＰパケットデータからディジタル同期信号データを抽出して出力する。
【００３７】
ＩＰ網揺らぎ平滑化部２３は、ＩＰ変換やＩＰ網１００上で発生するデータ伝送揺らぎを吸収するために、抽出されたディジタル同期信号データを一旦バッファ（図示せず）に書込み、同期信号発生部２６からの要求でそのバッファから読出す動作でデータを出力する。
【００３８】
同期クロック再生部２４は、バッファから読出されたディジタル同期信号データから同期クロックカウンタ値を抽出し、自走する同期クロックカウンタ値との比較を行い、その差分の補正を行ったクロックを出力する。水平／垂直同期信号再生部２５は、バッファから読出されたディジタル同期信号データから垂直カウンタ値を抽出し、水平／垂直同期信号を出力する。
【００３９】
同期信号発生／出力遅延部２６は、同期クロック再生部２４からのクロックと水平／垂直同期信号再生部２５からの水平／垂直同期信号とに基づいて、Ｄ／Ａ変換前のディジタル映像同期信号を生成し、外部からの設定値で出力遅延値を持たせて出力する。Ｄ／Ａ変換部２７は、同期信号発生／出力遅延部２６からの信号をディジタル／アナログ変換してアナログ映像同期信号として出力する。
【００４０】
このように、本発明の実施の形態では、同期信号送出装置１を上記のような構成、動作とすることで、アナログ映像同期信号をディジタル同期信号に変換し、それをＩＰパケットに変換してＩＰ網１００に出力することができる。
【００４１】
また、本発明の実施の形態では、同期信号受信装置２を上記のような構成、動作とすることで、ＩＰ網１００上の信号からディジタル同期信号を抽出し、送出側に同期したアナログ映像同期信号を出力することができる。
【００４２】
したがって、本発明の実施の形態では、放送局内等で映像音声のＩＰ伝送を行うネットワークシステムにおいて、アナログ映像の同期信号を伝送することができる。
【００４３】
尚、本発明は、図３〜図５に示す構成において、同期信号受信装置２が１台に限らず、２台以上の構成を持つシステムや、同期信号送出装置１が現用／予備の２台構成となっていて、ＩＰ網１００側でリダンダント機能を持たせ、同期信号受信装置２側が同期信号送出装置１の２台のうちの現用側だけを受信するシステムにも適用可能である。
【図面の簡単な説明】
【００４４】
【図１】本発明による同期信号送出装置の構成例を示すブロック図である。
【図２】本発明による同期信号受信装置の構成例を示すブロック図である。
【図３】本発明の実施の形態によるネットワークシステムの構成例を示すブロック図である。
【図４】図３の同期信号送出装置の構成例を示すブロック図である。
【図５】図３の同期信号受信装置の構成例を示すブロック図である。
【符号の説明】
【００４５】
１  同期信号送出装置
２  同期信号受信装置
１１  映像分配部
１２  同期クロック再生部
１３  Ａ／Ｄ変換部
１４  水平／垂直同期信号カウンタ
１５  同期クロックカウンタ
１６  ディジタル同期信号生成部
１７  ＩＰ変換部
２１  ＩＰ化同期信号抽出部
２２  ディジタル同期信号抽出部
２３  ＩＰ網揺らぎ平滑化部
２４  同期クロック再生部
２５  水平／垂直同期信号再生部
２６  同期信号発生／出力遅延部
２７  Ｄ／Ａ変換部
１００  ＩＰ網
【図１】
2010103652.tif 000003
【図２】
2010103652.tif 000004
【図３】
2010103652.tif 000005
【図４】
2010103652.tif 000006
【図５】
2010103652.tif 000007